(57)【特許請求の範囲】
【請求項１】
散布ホッパーに肥料を投入し、この肥料を上記散布ホッパーから耕地に散布する肥料散布機において、
肥料を備蓄し、この備蓄した肥料を上記散布ホッパーに投入する備蓄ホッパーを備え、
この備蓄ホッパーは、
上記散布ホッパーへ投入する肥料の分量を調節できる調節手段を有し、
上記調節手段は、
上記備蓄ホッパーを傾斜させるとともに、この傾斜の角度を調節できる傾斜手段と、
上記傾斜手段が上記備蓄ホッパーを傾斜させる傾斜角度に応じて、上記備蓄ホッパーから上記散布ホッパーに投入する肥料の分量を増減させる増減手段とを備えることを特徴とする肥料散布機。
【請求項２】
請求項１に記載の肥料散布機において、
上記増減手段は、
上記傾斜手段が上記備蓄ホッパーを傾斜させる傾斜角度の大小に応じて、上記備蓄ホッパーの開閉扉の開度を増減させる扉開閉手段を有することを特徴とする肥料散布機。
【発明の詳細な説明】
【０００１】
【発明の属する技術分野】
この発明は、例えば、茶園等の耕作地に肥料を散布する肥料散布機に関する。
【０００２】
【従来の技術】
従来、この種の肥料散布機としては、トラクタのように作業者が乗り込んで、耕作地を走行させながら、円錐先細の散布ホッパーから肥料を耕作地に投下,散布するものがある。
【０００３】
【発明が解決しようとする課題】
しかしながら、上記従来の肥料散布機では、散布ホッパー内の肥料の重量や振動の影響で、散布ホッパーの下部出口付近で肥料が緻密になって、肥料詰まりがしばしば発生していた。このため、作業者は、その都度、散布作業を中断し、散布ホッパーを木切れ等で突付いて、肥料詰まりを解消していた。
【０００４】
また、上記従来の肥料散布機では、作業者が、通常２０キログラム程度の肥料が入っている肥料袋(ポリ袋)から、上記散布ホッパーに肥料を投入する必要がある。この投入は、作業者が、肥料散布機の走行を停止させて、散布ホッパー側に移動し、ポリ袋の口を開いて、散布ホッパーに肥料を投入しなければならない。この投入作業は、能率が悪いばかりでなく、農業従事者の高齢化もあって重労働となっていた。
【０００５】
そこで、この発明の目的は、散布ホッパーの詰まりを防ぐことができ、かつ、散布ホッパーへの肥料供給のための作業中断を回避できて、効率よく肥料を散布できる肥料散布機を提供することにある。
【０００６】
【課題を解決するための手段】
上記目的を達成するため、請求項１の発明の肥料散布機は、散布ホッパーに肥料を投入し、この肥料を上記散布ホッパーから耕地に散布する肥料散布機において、
肥料を備蓄し、この備蓄した肥料を上記散布ホッパーに投入する備蓄ホッパーを備え、
この備蓄ホッパーは、
上記散布ホッパーへ投入する肥料の分量を調節できる調節手段を有し、
上記調節手段は、
上記備蓄ホッパーを傾斜させるとともに、この傾斜の角度を調節できる傾斜手段と、
上記傾斜手段が上記備蓄ホッパーを傾斜させる傾斜角度に応じて、上記備蓄ホッパーから上記散布ホッパーに投入する肥料の分量を増減させる増減手段とを備えることを特徴としている。
【０００７】
この請求項１の発明では、備蓄ホッパーに備蓄した肥料を、散布ホッパーに投入するから、散布ホッパーへの肥料供給のための作業中断を回避できる。また、上記備蓄ホッパーは、調節手段によって、上記散布ホッパーへ投入する肥料の分量を調節できるから、散布ホッパーの散布量に合わせて、備蓄ホッパーから散布ホッパーに肥料を供給することで散布ホッパーの詰まりを回避できる。したがって、この発明によれば、効率よく肥料を散布できる。
【０００８】
また、請求項１の発明では、上記傾斜手段で、備蓄ホッパーの傾斜角度を調節することにより、増減手段でもって、上記備蓄ホッパーから散布ホッパーに投入する肥料の分量を調節できる。
【０００９】
また、請求項２の発明は、請求項１に記載の肥料散布機において、
上記増減手段は、
上記傾斜手段が上記備蓄ホッパーを傾斜させる傾斜角度の大小に応じて、上記備蓄ホッパーの開閉扉の開度を増減させる扉開閉手段を有することを特徴としている。
【００１０】
この請求項２の発明では、傾斜手段が備蓄ホッパーを傾斜させる傾斜角度の大小に応じて、扉開閉手段が開閉する備蓄ホッパーの開閉扉の開度を増減させることができる。これにより、上記備蓄ホッパーの傾斜角度に応じて、備蓄ホッパーから散布ホッパーへの肥料投入量を調節できる。
【００１１】
【発明の実施の形態】
以下、この発明を図示の実施の形態により詳細に説明する。
【００１２】
図１に、この発明の肥料散布機の実施形態を側方から見た様子を示す。この肥料散布機は、フレーム１の下端に取りつけられた走行装置２で、茶園を跨いで走行しながら、散布ホッパー３の下端から両畝間に肥料を散布するものである。
【００１３】
この散布ホッパー３は、上部ストレート部３Ａと下方に向かって狭まったテーパ部３Ｂと下端散布口３Ｃからなる。この散布ホッパー３は、リンク５でフレーム１の後側の柱１Ａに取りつけられている。リンク５は、２つのアーム６,７からなる。このアーム６の一端は、散布ホッパー３の上部に取りつけられて上下に延びるブラケット８の下端部に軸支され、他端は上記柱１Ａの中間部分に固定されたブラケット１０に軸支されている。また、アーム７の一端は、上記ブラケット８の上端部に軸支され、他端は上記柱１Ａの上端部分に固定されたブラケット１１に軸支されている。
【００１４】
上記柱１Ａの上端からはさらにもう１つのフレーム１２が延在しており、このフレーム１２の中間部分に固定されたブラケット１３に、油圧シリンダ１５の後端が軸支されている。また、上記油圧シリンダ１５のロッド１５Ａの先端は、上記アーム６の中間部に固定されたブラケット１７に軸支されている。
【００１５】
上記散布ホッパー３は、ギアボックス２０から下方に延びている回転軸２１とこの回転軸２１の下端部に取り付けられた散布円盤２２を備える。上記ギアボックス２０は、図２に示す駆動用油圧モータ１９で駆動される。
【００１６】
この散布円盤２２は、散布ホッパー３の下端散布口３Ｃ内に配置されている。また、この散布円盤２２の上側に隣接して回転軸２１に撹拌爪２３が固定されている。
【００１７】
また、上記散布ホッパー３の上には備蓄ホッパー３０が配置されている。この備蓄ホッパー３０は、上方に向かって広がった投入口３０Ａを有し、肥料を備蓄するとともに、上記散布ホッパー３に肥料を供給するものである。
【００１８】
次に、この肥料散布機を後方から見た様子を示す図２と要部拡大図である図３を参照して、備蓄ホッパー３０を傾動させる機構を説明する。
【００１９】
図２に示すように、上記散布ホッパー３と備蓄ホッパー３０は、左右に一対配置されている。この備蓄ホッパー３０は、散布ホッパー３のフレーム３Ｄの上に配置され、側方外側の下端３０Ｂが軸受３１でフレーム３Ｄに軸支されている。また、この備蓄ホッパー３０の底部３０Ｃの中間部分にブラケット３２が固定され、このブラケット３２に、傾斜手段である傾動油圧シリンダ３３のロッド先端３３Ａが軸支されている。一方、この傾動油圧シリンダ３３の基端は、フレーム３Ｄの横方向の中間部に固定されたブラケット３５に軸支されている。また、図３に詳細に示すように、上記軸受３１の内方に隣接した箇所で散布ホッパー３のフレーム３Ｅに、アーム３６の一端３６Ａが軸支され、このアーム３６の他端３６Ｂに、ロッド３７の一端を軸支している。このアーム３６とロッド３７がリンク３９をなす。このリンク３９が扉開閉手段(増減手段)を構成している。図３に、一点鎖線で詳細に示すように、このロッド３７は、備蓄ホッパー３０の側方外側の下端部に設けられた開閉扉３８の中間部分に固定された連結板４３を貫通している。このロッド３７の連結部３７Ａには、連結板４３を挟んでナット４０,４１が螺合され、外側のナット４１と連結板４３との間にスプリング４２が介在されている。このスプリング４２は、連結板４３,開閉扉３８を閉方向に付勢している。また、図３に詳細に示すように、上記アーム３６の他端３６Ｂよりもやや中央寄りの位置に、備蓄ホッパー３０の底部３０Ｃに当接するストッパー突起４５が固定されている。
【００２０】
上記構成の肥料散布機によれば、肥料を散布しないときには、図１に一点鎖線で示すように、油圧シリンダ１５を収縮させて、アーム６,７を畳んだ姿勢にして、散布ホッパー３および備蓄ホッパー３０を待機位置にしておく。
【００２１】
一方、肥料を散布するときには、図１に実線で示すように、油圧シリンダ１５を伸長させて、アーム６,７を横に張り出させ、散布ホッパー３および備蓄ホッパー３０を走行装置２の背後に配置させる。そして、上記駆動用油圧モータ１９でギアボックス２０を介して回転軸２１を回転させ、撹拌爪２３と散布円盤２２を回転させながら、図２,図１に示すように、散布口３Ｃから肥料４を下方の茶園９へ向かってシャワー状に撒き散らす。なお、上記油圧シリンダ１５の伸長寸法を制御することで、散布ホッパー３を、実線で示した最下降位置から所定の量だけ上昇させて、散布範囲を調節することもできる。また、油圧シリンダ１５を収縮させることにより、全長を短くして、茶園端での機械旋回時に茶園にホッパー３,備蓄ホッパー３０を当てることがなく、茶園,肥料散布機の双方を傷めることがない。
【００２２】
次に、図２と図３を参照して、備蓄ホッパー３０から散布ホッパー３へ肥料を供給する動作を説明する。図２に示すように、傾動油圧シリンダ３３を伸長させることで、散布ホッパー３に対して、備蓄ホッパー３０を傾ける。これにより、アーム３６は他端３６Ｂがロッド３７に引っ張られて、一端３６Ａを回動中心として、１点鎖線で描かれた位置から実線で描かれた位置へ回動する。この回動により、開閉扉３８は、連結板４３に連結されたロッド３７の連結部３７Ａによって、スプリング４２の付勢力に逆らって、図２に１点鎖線で示すように、蝶番部３８Ａを中心にして押し開かれた姿勢になる。これにより、開閉扉３８を通して、備蓄ホッパー３０から散布ホッパー３へ肥料を供給できる。
【００２３】
また、上記傾動油圧シリンダ３３を収縮させることで、備蓄ホッパー３０を図２,図３に示す実線で描いた水平姿勢に戻し、開閉扉３８を閉めて、散布ホッパー３への肥料供給を停止する。
【００２４】
この実施形態によれば、上記傾動油圧シリンダ３３を伸長させる寸法を調節することで、備蓄ホッパー３０の傾斜角度および備蓄ホッパー３０の傾斜に連動して開く開閉扉３８の開度を調節でき、散布ホッパー３へ供給する肥料の投入量を加減できる。
【００２５】
したがって、この実施形態によれば、備蓄ホッパー３０に備蓄した肥料を、備蓄ホッパー３０から散布ホッパー３に投入するから、散布ホッパー３への肥料供給のための作業中断を回避できる。
【００２６】
また、上記備蓄ホッパー３０は、油圧シリンダ３３によって、上記散布ホッパー３へ投入する肥料の分量を調節できるから、散布ホッパー３の散布量に合わせて、備蓄ホッパー３０から散布ホッパー３に肥料を供給でき、散布ホッパー３の詰まりを回避できる。したがって、この実施形態によれば、効率よく肥料を散布できる。また、この実施形態では、左右両側の備蓄ホッパー３０を傾動させて、両側の散布ホッパー３から肥料を散布することもできるが、片側の備蓄ホッパー３０だけを傾動させて、片側の散布ホッパー３だけから肥料を散布することもできる。これにより、茶園の端で内側の領域に肥料を散布済みであって、外側の領域だけに肥料を散布したい場合に対応できる。
【００２７】
一例として、この備蓄ホッパー３０の容量は、例えば、肥料２０キログラム入りのポリ袋を８袋分だけ備蓄でき、走行作業の途中で一旦停止する必要がなくなった。また、たとえば、大農家で行われているバルク施肥方法のように、ポリ袋に分包されていない肥料を、一度に大量に、備蓄ホッパー３０に投入することが可能であり、作業の能率が上がり労力を軽減できる。また、この場合、廃棄物としてのポリ袋も発生せず、環境対策にもなる。
【００２８】
尚、上記実施形態では、上記備蓄ホッパー３０から散布ホッパー３へ供給する肥料の分量を調節するために、油圧シリンダ３３を用いて、備蓄ホッパー３０の傾きを調節した。上記実施形態では、茶園に肥料を散布する肥料散布機について説明したが、本発明は、茶園に肥料を散布する肥料散布機に限らず、耕作地に肥料を散布する肥料散布機に一般的に適用できるのは勿論である。
【００２９】
【発明の効果】
以上より明らかなように、請求項１の発明の肥料散布機は、備蓄ホッパーに備蓄した肥料を、散布ホッパーに投入するから、散布ホッパーへの肥料供給のための作業中断を回避できる。また、上記備蓄ホッパーは、調節手段によって、上記散布ホッパーへ投入する肥料の分量を調節できるから、散布ホッパーの散布量に合わせて、備蓄ホッパーから散布ホッパーに肥料を供給することで散布ホッパーの詰まりを回避できる。したがって、この発明によれば、効率よく肥料を散布できる。
【００３０】
また、請求項１の発明は、傾斜手段で、備蓄ホッパーの傾斜角度を調節することにより、増減手段でもって、備蓄ホッパーから散布ホッパーに投入する肥料の分量を調節できる。
【００３１】
また、請求項２の発明は、傾斜手段が備蓄ホッパーを傾斜させる傾斜角度の大小に応じて、上記備蓄ホッパーの開閉扉は、開閉手段で、その開度が増減させられる。これにより、上記備蓄ホッパーの傾斜角度に応じて、備蓄ホッパーから散布ホッパーへの肥料投入量を調節できる。
【図面の簡単な説明】
【図１】この発明の肥料散布機の実施形態を側方から見た模式図である。
【図２】上記実施形態を後方から見た模式図である。
【図３】上記実施形態において備蓄ホッパーを傾動させる機構を示す要部拡大図である。
【符号の説明】
１…フレーム、１Ａ…柱、２…走行装置、３…散布ホッパー、４…肥料、
５…リンク、６,７,３６…アーム、８…ブラケット、９…茶園、
１０,１１,１３,１７,３２,３５…ブラケット、
１２…フレーム、１５…油圧シリンダ、
１９…駆動用油圧モータ、２０…ギアボックス、２１…回転軸、
２２…散布円盤、２３…撹拌爪、３０…備蓄ホッパー、３１…軸受、
３３…傾動油圧シリンダ、３７…ロッド、４３…連結板、
４５…ストッパー突起。
【図１】
0003542778.tif 000002
【図２】
0003542778.tif 000003
【図３】
0003542778.tif 000004